(57)【特許請求の範囲】
【請求項１】
それぞれ同じ高さレベルとされた床を有する脱衣室および浴室間の開口部に取り付けられる浴室戸の下枠構造であって、
前記下枠は、上端の高さレベルが前記各床と略同じであるとともに、前記各床間に設けられた排水溝内の前記脱衣室側に配置される第１横枠材と、前記排水溝内の前記浴室側に配置される第２横枠材と、これらの第１、第２横枠材間に着脱自自在または開閉自在に架設されて前記排水溝を閉塞する閉塞部材とで構成され、この閉塞部材の排水用開口部に流れ込んだ湯水が前記第１、第２横枠材間を通って前記排水溝の底側に流れるように設けられ、前記第１、第２横枠材の両端が前記浴室戸の戸枠を構成する縦枠に固定されている浴室戸の下枠構造。
【請求項２】
前記第１、第２横枠材は、これら第１、第２横枠材の長手方向の途中に架設された連結部材で連結されている請求項１に記載の浴室戸の下枠構造。
【請求項３】
前記閉塞部材の下面側には上面側から操作することで見付け方向に摺動する連動杆が設けられ、この連動杆には水平方向に突出したガイドピンが設けられ、前記第１横枠材または第２横枠材には前記ガイドピンが係合するガイド溝を備えたカム部材が設けられ、このカム部材のガイド溝は、前記連動杆の摺動に伴って前記ガイドピンを上下方向に案内可能に設けられかつカム部材の上面で開放している請求項１または請求項２に記載の浴室戸の下枠構造。
【請求項４】
前記閉塞部材の上面には引戸用の障子を案内する複数のガイドレールが突設され、これらのガイドレール間には当該ガイドレールとほぼ同じ高さレベルに突出した突片が設けられている請求項１〜３のいずれかに記載の浴室戸の下枠構造。
【請求項５】
前記第１横枠材および第２横枠材間には前記湯水を濾過するゴミ収集部材が着脱自在に設けられている請求項１〜４のいずれかに記載の浴室戸の下枠構造。
【発明の詳細な説明】
【０００１】
【発明の属する技術分野】
本発明は、上枠、下枠、および左右の縦枠からなる浴室戸の戸枠の特に下枠の構造に係り、それぞれ同じ高さレベルに設けられた浴室および脱衣室の床間に配置される下枠の構造に関する。
【０００２】
【背景技術】
近年、浴室の床（洗い場）の高さレベルと脱衣室の床の高さレベルとを同じにしてその間の段差をなくし、車椅子を利用する身障者や高齢者等の浴室への出入りを容易に行えるようにすることが行われている。この際、浴室への出入り用に設けられた浴室戸においては、戸枠を構成する下枠が浴室および脱衣室の床間に配置されることになるが、この下枠の上端も各床の高さレベルとほぼ同じにすることで段差が生じるのを防いでいる。
【０００３】
ところで、それらの床間に段差がないと、浴室戸を開けた場合などに浴室内の湯水が脱衣室まで流れ出やすくなるので、それを防止するために、浴室戸の下枠の手前（浴室側）に排水溝を設けることが多い。実公平１−２０４６６号公報には、そのような排水溝が示されている。この公報によれば、浴室戸の手前に排水溝が設けられているため、湯水をこの排水溝に落とし込んで排水することができ、脱衣室に流れ出すのを防止できる。また、そのような排水溝の上部側は蓋部材で閉塞されているが、この蓋部材の上面が各床の高さレベルと同じになっているので、排水溝によって段差が生じる心配もない。さらに、下枠のガイドレールには水抜き孔が設けられており、蓋部材を越えて脱衣室側に向かう湯水を下枠の水抜き孔を通して排水溝内に導くことができるようになっている。
【０００４】
しかし、このような排水溝は下枠の手前に設けられているから、浴室内における洗い場としての専有面積が小さくなるという問題があり、浴室内が狭く感じる場合がある。このため、特開平８−１０５２７２号公報では、浴室戸の下枠を省き、本来下枠を配置する位置に排水溝を設けることが開示されている。このような排水溝は浴室戸の直下に設けられることになるため、洗い場としての専有面積を大きくできるというメリットがある。そして、このような排水溝内には簀の子状の敷居が配置され、この敷居によって排水溝の段差をなくしている。
【０００５】
【発明が解決しようとする課題】
しかしながら、後者の公報によれば、浴室戸の戸枠は下枠を備えていないため、戸枠としての強度が小さくなるという問題がある。従って、浴室戸としては、上枠に障子を摺動可能に吊した吊し戸が主流とならざるを得ず、障子の荷重が下枠に直に作用するような引戸や折戸は勿論、通常のドアタイプのものも採用しにくくなり、乏しいバリエーションとなる。
【０００６】
そこで、下枠を含んで戸枠を構成するとともに、下枠に複数のスリット等を設けるなどして直下の排水溝内に湯水を落とし込めるようにし、これによって洗い場としての専有面積の確保と戸枠の強度向上との両方を満足させることが考えられるが、下枠を設けてしまうと、排水溝を掃除できないという問題が生じる。
【０００７】
また、後者の公報においては、本来下枠が設けられる位置に戸枠とは全く別体の敷居が配置されているから、浴室戸としての一体感がなく、意匠性が優れているとはいえない。
さらに、敷居が簀の子状であることにより、敷居を踏んだ際の感触に違和感を生じる場合がある。
【０００８】
本発明の目的は、洗い場としての専有面積を大きくできるとともに、戸枠の強度を大きくでき、かつ排水溝の掃除を容易に行える浴室戸の下枠構造を提供することにある。
【０００９】
【課題を解決するための手段】
本発明の浴室戸の下枠構造は、それぞれ同じ高さレベルとされた床を有する脱衣室および浴室間の開口部に取り付けられる浴室戸の下枠構造であって、下枠の上端の高さレベルを各床と略同じにするとともに、各床間に設けられた排水溝内の脱衣室側に配置される第１横枠材と、排水溝内の浴室側に配置される第２横枠材と、これらの第１、第２横枠材間に着脱自自在または開閉自在に架設されて排水溝を閉塞する閉塞部材とで下枠を構成し、この閉塞部材の排水用開口部に流れ込んだ湯水を第１、第２横枠材間を通って排水溝の底側に流れるように設け、第１、第２横枠材の両端を、浴室戸の戸枠を構成する縦枠に固定することを特徴とするものである。
【００１０】
このような本発明においては、下枠の主な構成部材である第１，第２横枠材を排水溝内に配置するので、排水溝が略下枠の直下に設けられることになり、浴室の洗い場としての専有面積が大きくなる。また、下枠を有することで浴室戸の戸枠の強度が向上する。さらに、第１、第２横枠材間に着脱自自在または開閉自在な閉塞部材を設けるため、この閉塞部材を外したり開いた状態にすれば、第１、第２横枠材間から排水溝の底側が臨めるようになり、排水溝の掃除が容易に行われるようになる。
以上により、前記目的が達成される。
【００１１】
また、本発明の浴室戸の下枠構造では、第１、第２横枠材を、これら第１、第２横枠材の長手方向の途中に架設された連結部材で連結してもよい。
【００１２】
そして、本発明の浴室戸の下枠構造では、閉塞部材の下面側には上面側から操作することで見付け方向に摺動する連動杆を設け、この連動杆には水平方向に突出したガイドピンを設け、第１横枠材または第２横枠材にはガイドピンが係合するガイド溝を備えたカム部材を設け、このカム部材のガイド溝を、連動杆の摺動に伴ってガイドピンを上下方向に案内可能に設けかつカム部材の上面で開放させてもよい。
【００１３】
さらに、本発明の浴室戸の下枠構造では、閉塞部材の上面に引戸用の障子を案内する複数のガイドレールを突設し、これらのガイドレール間に当該ガイドレールとおぼ同じ高さレベルに突出した突片を設けることが好ましい。
【００１４】
以上において、第１横枠材および第２横枠材間に湯水を濾過するゴミ収集部材を着脱自在に設けることが好ましい。
【００１５】
【発明の実施の形態】
以下、本発明の各実施形態を図面に基づいて説明する。
〔第１実施形態〕
図１は、本実施形態に係る浴室戸としての浴室引戸１を示す縦断面図、図２は、浴室引戸１の横断面図でる。
【００１６】
浴室引戸１は、それぞれ同じ高さレベルとされた床Ａ，Ｂを有する脱衣室および浴室間の仕切り壁等の開口部に設けられたものであり、その開口部に取り付けられた戸枠１０と、戸枠１０内に建て込まれた三枚の障子２０とで構成されている。
【００１７】
戸枠１０は、各床Ａ，Ｂ間の排水溝３０に対応して設けられており、それぞれがアルミの押出形材からなる上枠１１、下枠１２、および左右の縦枠１３を四周枠組みして組み立てられている。なお、本実施形態では、浴室はいわゆるユニットバスであり、排水溝３０が浴室の床Ｂと一体に設けられている。
【００１８】
戸枠１０を構成する各枠１１，１２，１３のうち、下枠１２は、排水溝３０における脱衣室側の浅溝部３１上に配置された第１横枠材としてのベース材１２１と、浴室側の浅溝部３２上に配置された第２横枠材としてのジョイント材１２２と、これらベース材１２１およびジョイント材１２２間に架設されて排水溝３０を閉塞する閉塞部材としてのアタッチメント１２３とで構成されている。そして、ベース材１２１およびジョイント材１２２間の間隔は、排水溝３０の一段深い底側の樋部３３に手を差し入れることができる程度である。
【００１９】
ベース材１２１は、両端が各縦枠１３にビス止めされて固定され、脱衣室側の取付片１２４で床Ａに固定されている。
【００２０】
ジョイント材１２２は、両端が各縦枠１３にビス止めされて固定されているのみであり、浴室の床Ｂには固定されていない。
【００２１】
アタッチメント１２３は、見付け方向に連続した形材からなり、脱衣室側の端縁がベース材１２１の取付片１２４の基端側に係止され、浴室側の立上部１２５の先端に設けられた水平部１２６が床Ｂ上に載置され、これによってベース材１２１との係止位置を支点にして回動させることができ、その結果ベース材１２１およびジョイント材１２２から外すことができるようになっている。
【００２２】
また、アタッチメント１２３の上面には、各障子２０を案内する三条のガイドレール１２７が突設され、各ガイドレール１２７間にはリップ溝を有する突片１２８が見付け方向に連続して設けられている。各突片１２８のリップ溝および前記立上部１２５のリップ溝にはシール材１４が設けられ、これらのシール材１４の先端がこれよりも脱衣室側にある障子２０の浴室側の下部面と密着している。
【００２３】
そして、ガイドレール１２７、突片１２８、および前記水平部１２６の上端あるいは上面の高さレベルは、床Ａ，Ｂの床面の高さレベルと略同じであり、下枠１２上での車椅子による行き来や、高齢者の歩行が容易に行われるようになっている。
【００２４】
さらに、アタッチメント１２３には排水用開口部としての複数のスリット１２９（図２）が設けられている。つまり、下枠１２に注いだ湯水は、これらのスリット１２９から下方に落とし込まれた後、ベース材１２１およびジョイント材１２２間を通って排水溝３０の樋部３３側に流れ込んで排水される（図１中の二点鎖線）。
【００２５】
このようなアタッチメント１２３は、ロック機構４０を解除することによって取り外すことが可能である。このロック機構４０は、図３にも示すように、アタッチメント１２３の下面に設けられたリップ溝内を摺動する連動杆４１を備えており、この連動杆４１には水平方向に突出した複数のガイドピン４２が設けられている。一方、ジョイント材１２２には各ガイドピン４２が係合するガイド溝４３を有したピース状のカム部材４４が設けられている。このガイド溝４３は、連動杆４１の摺動に伴ってガイドピン４２を上下方向に案内可能に設けられ、かつカム部材４４の上面で開放している。
【００２６】
また、連動杆４１の一端側には、下枠１２の上面側から操作可能なレバー４５が設けられており、レバー４５を図２中の矢印方向に移動させると、連動杆４１が見付け方向に移動し、これに伴ってガイドピン４２がカム部材４４のガイド溝４３に沿って斜め上方移動し、水平部１２６側が持ち上げられる。そして、ガイド溝４３がカム部材４４の上方に開放しているので、ガイドピン４２をガイド溝４３から抜くことにより、下枠１２を回動させたり、または外すことが可能である。
【００２７】
障子２０は、それぞれアルミの押出形材からなる上框２１、下框２２、および左右の竪框２３を四周枠組みして組み立てられた障子枠２４と、障子枠２４内に配置された強化ガラス、合わせガラス、あるいは樹脂等からなるな面材２６とで構成さている。また、本実施形態では、下框２２が上下の框材２２１，２２２と、これらの間のガラリ材２２３とで構成され、これらの隙間から換気が行えるようになっている。
【００２８】
以上の浴室引戸１において、排水溝３０を掃除する際には、先ず、戸枠１０から各障子２０を取り外し、この後、レバー４５を操作して下枠１２のアタッチメント１２３を取り外す。そして、下枠１２を構成するベース材１２１およびジョイント材１２２間に手を差し入れ、樋部３３の汚れや詰まり物等を取り除く。
【００２９】
このような本実施形態によれば、以下のような効果がある。
１）浴室引戸１では、排水溝３０が戸枠１０の下枠１２の直下に設けられているので、浴室の洗い場としての専有面積を大きくでき、浴室を見た目にも広く感じさせることができる。
【００３０】
２）浴室引戸１の戸枠１０には、直下に排水溝３０があるのにもかかわらず下枠１２が設けられているため、下枠が設けられていない従来に比して戸枠１０の強度を大きくできる。
【００３１】
３）下枠１２の着脱自在なアタッチメント１２３を外すことにより、ベース材１２１およびジョイント材１２２間に手を差し入れることができ、下枠１２の直下に設けられた排水溝３３を容易に掃除できる。
【００３２】
４）下枠１２が設けられていることにより、下枠１２にガイドレール１２７を設けて障子２０を建て込むことができ、浴室戸として浴室引戸１にできる。従って、吊り戸タイプが主流とならずるを得ない従来に比してバリエーションを多くできる。
【００３３】
５）従来は、排水溝による段差をなくすために敷居が設けられていたが、本実施形態では、戸枠１０の下枠１２によって排水溝３０の段差をなくしている。すなわち、下枠１２は戸枠１０の構成部材であるから、戸枠とは全く別体の敷居を用いる場合よりも、浴室引戸１としての一体感を出すことができ、意匠性を向上させることができる。また、下枠１２は簀の子状ではなく、スリット１２９を設けることで湯水を流れ落とすように設けられているので、下枠１２を踏んだ際にも通常のサッシ枠等の下枠を踏むのと同じ感触を得ることができ、違和感を感じない。
【００３４】
６）下枠１２にはアタッチメント１２３を一旦持ち上げ可能なロック機構４０が設けられているので、アタッチメント１２３を取り外すような場合には、レバー４５を操作してアタッチメント１２３の水平部１２６を持ち上げておけばよく、水平部１２６を容易に把持でき、アタッチメント１２３を簡単に取り外すことができる。
【００３５】
７）下枠１２（アタッチメント１２３）において、ガイドレール１２７間にはガイドレール１２７の同じ高さレベルに突出した突片１２８が設けられているため、例えば車椅子で下枠１２を乗り越える場合でも、ガイドレール１２７間に車椅子の小さな前輪がはまり込む心配がなく、脱輪を有効に防いで出入りを容易に行える。
【００３６】
８）アタッチメント１３２の突片１２８および浴室側の立上部１２５にはシール材１４が設けられ、このシール材１４がこれよりも脱衣室側の障子２０に密着しているので、湯水を障子２０の浴室側で確実に止めることができ、止水性を向上させることができる。
【００３７】
〔第２実施形態〕
図３、図４には、本発明の第２実施形態に係る浴室戸としての浴室引戸２が示されている。なお、各図において、前記第１実施形態と同様な構成部材には同一符号を付してそれらの説明を省略し、以下には相違点のみを説明する。
【００３８】
本実施形態では、仕切り壁の立設位置や床下構造との取り合いの関係で、浴室引戸２における下枠１２の見込み寸法は、他の枠１１，１３の見込み寸法よりも大きくなっている。また、このことにより、ジョイント材１２２が縦枠１３よりも浴室側に配置されてその両端を縦枠１３のビス止めできないことから、このジョイント材１２２はパイプ状の連結部材１５を介してベース材１２１にビス止めされ、また、ジョイント材１２２の両端に配置されたコーナー部材１６を介して縦枠１３にビス止めされている。さらに、アタッチメント１２３の水平部１２６が第１実施形態よりも大きく設けられ、水平部１２６にもスリット１２９が設けられている。そして、本実施形態の排水溝３０は、浴室の床Ｂとは別体に設けられている。他の構成は第１実施形態と同じである。
【００３９】
このような本実施形態においても、各障子２０を外し、アタッチメント１２３を外した後、排水溝３０を掃除する。
【００４０】
本発明によれば、前記第１実施形態と同様な構成により、前述した１）〜８）の効果を同様に得ることができるうえ、以下の効果がある。
９）浴室引戸２においては、アタッチメント１２３の水平部１２６が大きく浴室側に延出し、その水平部１２６にもスリット１２９が設けられているため、湯水を障子２０の手前（浴室側）でより効率よく排水溝３０に落とすことができ、湯水が下枠１２を越えて脱衣室側に至るのを一層確実に防止できる。
【００４１】
１０）床構造との取り合いの関係で、ベース材１２１とジョイント材１２２との間隔が大きいいが、それらが連結部材１５で連結されているため、下枠１２としての剛性を維持でき、戸枠１０の強度が低下するのを防止できる。
【００４２】
〔第３実施形態〕
図６、図７には、本発明の第３実施形態に係る浴室戸としての浴室折戸３が示されている。この浴室折戸３は、建て込まれた二枚の障子２０が折曲部２５で折曲可能に設けられたものである。従って、下枠１２を構成するベース材１２１のガイドレール１２７には、障子２０の下部に設けられた摺動用戸車２２４が係合している。そして、ガイドレール１２７の下部側には、水抜き用の水抜き孔１２７Ａが設けられている。また、ベース材１２１の取付片１２４の基端側には、障子２０の脱衣室側の下部面と密着するシール材１７が設けられている。これらにより、ベース材１２１に入り込む湯水を脱衣室側に至らせることなく排水溝３０内に落とし込むことが可能である。さらに、ベース材１２１およびジョイント材１２２間を連結する連結部材１５上には、湯水を濾過する網あるいは目皿等のゴミ収集部材１９が載置されている。このゴミ収集部材１９はアタッチメント１２３と略同じ見付け寸法とされ、アタッチメント１２３を外すことで着脱可能になっている。他の構成は、第１実施形態と同様であり、それらの説明を省略する。
【００４３】
このような本実施形態では、前述した１）〜３）、５）、６）の効果を同様に得ることができる。また、下枠１２が設けられていることにより、その下枠１２のガイドレール１２７には折曲可能な障子２０を建て込むことができ、浴室戸として浴室折戸３を実現できる。このため、バリエーションを多くできるという４）の効果も同様に得ることができる。さらに、ゴミ収集部材１９により、以下の効果がある。
１１）ベース材１２１およびジョイント材１２２間にはゴミ収集部材１９が設けられているため、湯水と一緒に流れ込んできたゴミを確実に集めることができ、排水溝３０と連通した排水パイプ等がゴミで詰まるの防止できる。また、ゴミがゴミ収集部材１９で集められるため、ゴミを簡単に取り除くことができ、排水溝３０の掃除を容易にできる。
【００４４】
〔第４実施形態〕
図８、図９には、本発明の第４実施形態に係る浴室戸としての浴室折戸４が示されている。この浴室折戸４では、上枠１１および縦枠１３の見込み寸法が仕切り壁との取り合いの関係で前記第３実施形態よりも小さく設けられており、より薄い仕切り壁に対応できるようになっている。ただし、本実施形態の浴室折戸４では、ジョイント材１２２が縦枠１３よりも浴室側に位置しているが、図４に示したようなベース材１２１およびジョイント材１２２を連結する連結部材１５は用いられておらず、ジョイント材１２２はその両端に配置されたコーナー部材１７のみを介して縦枠１３にビス止めされている。また、アタッチメント１２３の水平部１２６には複数のスリット１２９が設けられ、排水効率を向上させている。
このような本実施形態では、第３実施形態の効果に加え、アタッチメント１２３のスリット１２９により、前述の９）の効果を得ることができる。
【００４５】
〔第５実施形態〕
図１０、図１１には、本発明の第５実施形態に係る浴室戸としての浴室ドア５が示されている。浴室ドア５の戸枠（ドア枠）１０内には、上框５１、下框５２、それらの間に配置された横材５３、左右の竪框５４、および上下の面材５５からなるドア５０が配置されており、ハンドルを操作することで上下のラッチが外れ、ドア５０を開閉することが可能である。
【００４６】
このような浴室ドア５の戸枠１０において、下枠１２のベース材１２１には浴室側に張り出した断面Ｌ字形状の支持部材１８が設けられ、この支持部材１８上でアタッチメント１２３の脱衣室側に設けられた二条の垂下片１２３Ａ，１２３Ｂが支持されている。そして、脱衣室寄りの垂下片１２３Ａの下端縁は支持部材１８とベース材１２１の突部部分との間に係止され、この係止部分を支点にしてアタッチメント１２３が回動するようになっている。また、各垂下片１２３Ａ，１２３Ｂには水抜き孔１２３Ｃが設けられており、ベース材１２１およびアタッチメント１２３間の開口部分から入り込んだ湯水がそれらの水抜き孔１２３Ｃを通って排水溝３０の樋部３３に流れ落ちるようになっている。
【００４７】
本実施形態においても、前述した１）〜３）、５）、６）の効果を同様に得ることができ、また、下枠１２を設けることにより、ドア５０をグラビティーヒンジ等を介して下枠１２で支持できるなど、浴室戸として浴室ドア５を実現できる。このため、４）の効果も同様に得ることができる。
【００４８】
〔第６実施形態〕
図１２、図１３に示す本発明の第６実施形態に係る浴室戸としての浴室ドア６は、より薄い仕切り壁に対応させたものであり、下枠１２以外の枠１１，１３の見込み寸法が第５実施形態に比して小さい。従って、下枠１２を構成するジョイント材１２２の両端は、縦枠１３に対して直に固定されておらず、コーナー部材１７を介して固定されている。そして、アタッチメント１２３の水平部に設けられた複数のスリット１２９により、排水効率の向上が図られ、前述した９）の効果が得られるようになっている。他の構成は第５実施形態と同じであり、同様の効果を得ることができる。
【００４９】
〔第７実施形態〕
図１４には、本発明の第７実施形態に係る浴室戸としての浴室引戸７が示されている。
浴室引戸７では、アタッチメント１２３の浴室側に水平部が設けられておらず、ジョイント材１２２の浴室側に床Ｂに係止される水平部１２２Ａが設けられている。また、アタッチメント１２３は、押上機構を備えておらず、その下面に取り付けられたラッチ１２３Ｅでジョイント材１２１に係合されている。このようなアタッチメント１２３では、ガイドレール１２７や突片１２８を利用したり、あるいはアタッチメント１２３自身に指等を差し入れることができる開口を設けることにより、アタッチメント１２３全体をつまみ上げてラッチ１２３Ｅを解除でき、ベース材１２１およびジョイント材１２２から取り外すことが可能である。反対に、アタッチメント１２３を取り付ける場合には、上方から軽く押し込んでラッチ１２３Ｅを機能させればよい。
【００５０】
本実施形態では、前述の１）〜５）および７）、８）の効果を同様に得ることができ、さらに、以下の効果がある。
１２）本実施形態では、押上機構の代わりとしてラッチ１２３Ｅが用いられているため、ジョイント材１２２やアタッチメント１２３の構造を簡単にできる。従って、それらを容易に組み立てることができ、かつ安価にできる。
【００５１】
〔第８実施形態〕
図１５に示された浴室折戸８では、ジョイント材１２２に水平部１２２Ａが設けられている点、押上機構の代わりとしてラッチ１２３Ｅが取り付けられている点、ガイドレール１２７がアタッチメント１２３に設けられている点、およびアタッチメント１２３のスリット１２９を通って湯水が排水溝３０内に流れ落ちる用になっている点で、前記第３実施形態の浴室折戸３とは大きく異なる。
【００５２】
本実施形態では、押上機構に関する効果に代えて前記１１）効果を得ることができる。他の効果は第３実施形態と同じである。
【００５３】
〔第９実施形態〕
図１６に示された浴室ドア９では、ジョイント材１２２に水平部１２２Ａが設けられている点、押上機構の代わりとしてラッチ１２３Ｅが取り付けられている点、ベース材１２１とジョイント材１２２とがコ字形状の連結部材１５で連結されている点、アタッチメント１２３には垂下片が設けられておらず、アタッチメント１２３の脱衣室側が連結部材１５とベース材１２１に直に載置されている点、これに伴って支持部材１８が不要とされ、かつ湯水がスリット１２９を通って排水される点で、前記第５実施形態とは大きく異なる。
【００５４】
本実施形態では、押上機構に関する効果に代えて前記１１）効果を得ることができる、また、第５実施形態の効果を同様に得ることができ、さらに、以下の効果がある。
１３）浴室ドア９では、ベース材１２１およびジョイント材１２２が共に縦枠１３にビス止めされているのに加え、それらが連結部材１５で互いに連結されているため、下枠１２ひいては戸枠１０の剛性をより一層大きくできるという効果がある。
【００５５】
なお、本発明は、前記実施形態に限定されるものではない。
例えば、前記各実施形態では、下枠１２のアタッチメント１２３は、その脱衣室側の端縁がベース材１２１に係止されているだけであったが、その端縁を図１７に示すようにカーリング状の湾曲部１２３Ｄとし、ベース材１２１側にその湾曲部１２３Ｄが嵌合する袋状の溝１２１Ａを設けてもよい。こうすることにより、互いを嵌合させて形材ヒンジを形成でき、アタッチメント１２３がベース材１２１に軸支された状態で回動可能になる。従って、アタッチメント１２３をベース材１２１から完全に外す必要がなく、清掃後に再度排水溝３０を塞ぐ場合には、アタッチメント１２３を倒して戻せばよく、アタッチメント１２３の位置決めを不要にできる。
【００５６】
その他、前記各実施形態では、排水溝３０の脱衣室側および浴室側のそれぞれに浅溝部３１，３２が設けられ、各浅溝部３１，３２上にベース材１２１、ジョイント材１２２が配置されていたが、そのような浅溝部３１，３２がない断面コ字形状の排水溝を設け、その脱衣室側および浴室側にそれぞれベース材１２１、ジョイント材１２２を配置してもよく、排水溝の断面形状等は任意である。
【００５７】
【発明の効果】
以上に述べたように、本発明によれば、洗い場としての専有面積を大きくできるとともに、戸枠の強度を大きくでき、かつ排水溝の掃除を容易に行えるという効果がある。
【図面の簡単な説明】
【図１】本発明の第１実施形態に係る浴室戸を示す縦断面図である。
【図２】第１実施形態の横断面図である。
【図３】第１実施形態の要部を示す断面斜視図である。
【図４】本発明の第２実施形態に係る浴室戸を示す縦断面図である。
【図５】第２実施形態の横断面図である。
【図６】本発明の第３実施形態に係る浴室戸を示す縦断面図である。
【図７】第３実施形態の横断面図である。
【図８】本発明の第４実施形態に係る浴室戸を示す縦断面図である。
【図９】第４実施形態の横断面図である。
【図１０】本発明の第５実施形態に係る浴室戸を示す縦断面図である。
【図１１】第５実施形態の横断面図である。
【図１２】本発明の第６実施形態に係る浴室戸を示す縦断面図である。
【図１３】第６実施形態の横断面図である。
【図１４】本発明の第７実施形態に係る浴室戸を示す縦断面図である。
【図１５】本発明の第８実施形態に係る浴室戸を示す縦断面図である。
【図１６】本発明の第９実施形態に係る浴室戸を示す縦断面図である。
【図１７】本発明の変形例を示す断面図である。
【符号の説明】
１〜９…浴室戸、１２…下枠、１４…シール材、１５…連結部材、２０…障子、３０…排水溝、４１…連動杆、４２…ガイドピン、４３…ガイド溝、４４…カム部材、１２１…第１横枠材であるベース材、１２２…第２横枠材であるジョイント材、１２３…閉塞部材であるアタッチメント、１２７…ガイドレール、１２５…立上部、１２８…突片、１２９…排水用開口部であるスリット、Ａ，Ｂ…床。
【図１】
0003607504.tif 000002
【図２】
0003607504.tif 000003
【図３】
0003607504.tif 000004
【図４】
0003607504.tif 000005
【図５】
0003607504.tif 000006
【図６】
0003607504.tif 000007
【図７】
0003607504.tif 000008
【図８】
0003607504.tif 000009
【図９】
0003607504.tif 000010
【図１０】
0003607504.tif 000011
【図１１】
0003607504.tif 000012
【図１２】
0003607504.tif 000013
【図１３】
0003607504.tif 000014
【図１４】
0003607504.tif 000015
【図１５】
0003607504.tif 000016
【図１６】
0003607504.tif 000017
【図１７】
0003607504.tif 000018